(57)【要約】【課題】店舗で吊下げられた商品の袋が前進陳列を保持しやすい商品吊下展示用バーフックを提供する。【解決手段】商品を入れた袋３の上部に開けられた孔５にバーフック１を通して、商品を吊下展示する。このバーフック１は、水平に配置される棒状の本体７と、この本体７の先端が上方へ緩やかに屈曲する屈曲部９と、本体７の前方で上面に形成された滑止１５と、を有する。この滑止１５は、屈曲部９を除いて本体７の前半部分に、波型の凹凸として形成される。【選択図】図1
2006198227.tif 000002
【特許請求の範囲】
【請求項１】
商品を入れた袋の上部に開けられた孔に通して吊下展示するためのバーフックにおいて、水平に配置される棒状の本体と、この本体の先端が上方へ緩やかに屈曲する屈曲部と、前記本体の前方で上面に形成された滑止と、を有することを特徴とする商品吊下展示用バーフック。
【請求項２】
前記滑止は、前記屈曲部を除いて本体の前半部分に、波型の凹凸として形成されることを特徴とする請求項１に記載の商品吊下展示用バーフック。
【発明の詳細な説明】
【技術分野】
【０００１】
この発明は、小売業の店舗などで小物の商品を袋に入れ、この袋の上部に開けられた孔に、棒状のバーフックを通して展示する際の前記バーフックの形状に関する。
【背景技術】
【０００２】
図３に示すように、コンビニエンスストアやスーパーマーケットなどの小売業の店舗などでは、菓子や日用品などの小物の商品が、袋１０１に入れられ吊下げられて展示され販売される。すなわち、この袋１０１の上部に開けられた孔１０３に、ステンレス製などの棒状のバーフック１０５を通した状態で、複数の袋１０１が前後に並んで陳列して、展示される。
【０００３】
バーフック１０５は、水平に配置される棒状の本体の先端が上方へ緩やかに屈曲する形状を有する。この屈曲部１０７の働きにより、商品が先端から、容易に外れるのを防止する。後端には、下向きのコの字状部分１０９が形成され、このコの字状部分１０９により、商品棚の四角形断面のバー１１１に嵌合して取り付けられる。
【０００４】
また、吊下げられた商品の袋１０１は、お客に対するアピールを弱くしないように、袋数が少なくてもバーフック１０５の前方に位置する前進陳列となるように、店員が袋を前方へそろえる作業を行う。
【発明の開示】
【発明が解決しようとする課題】
【０００５】
しかしながら、図３に示すように、吊下げられた商品の袋１０１は、お客の手１１３などに触れるたびに、後方へ押しやられ、いつの間にか後進陳列となってしまう。このため、お客に対するアピールが弱くなってしまう。また、店員が袋１０１を前方へそろえる作業が増加してしまう。
【０００６】
この発明は、以上の問題点を解決するために、吊下げられた商品の袋が前進陳列を保持しやすく、よって、お客に対する商品のアピールがよく、店員が袋を前方へそろえる作業が少なくて済む商品吊下展示用バーフックを提供することを目的とする。
【課題を解決するための手段】
【０００７】
以上の課題を解決するために、第一発明は、商品を入れた袋の上部に開けられた孔に通して吊下展示するためのバーフックにおいて、水平に配置される棒状の本体と、この本体の先端が上方へ緩やかに屈曲する屈曲部と、前記本体の前方で上面に形成された滑止と、を有することを特徴とする商品吊下展示用バーフックである。
【０００８】
第二発明は、さらに、前記滑止は、前記屈曲部を除いて本体の前半部分にのみ、波型の凹凸として形成されることを特徴とする商品吊下展示用バーフックである。
【発明の効果】
【０００９】
第一、又は第二発明によれば、バーフックの上面に形成された滑止に、袋の上部に開けられた孔の縁が引っ掛かりやすく、よって、お客の手などに触れても後方へ押しやられることが少ない。したがって、袋は前進陳列を保持しやすく、お客に対する商品のアピールがよく、店員が袋を前方へそろえる作業が少なくて済む。
【００１０】
また、第二発明によれば、さらに、滑止は屈曲部を除いて本体の前半部分にのみ形成されるので、仮に後半部分に後退陳列になった袋は、滑止に引っ掛からないので、前方へそろえる作業が困難にならずに済む。また、滑止を波型の凹凸として形成されることで、形成のコストが抑えられる。
【発明を実施するための最良の形態】
【００１１】
この発明の実施形態を、図１及び図２に示す。
このバーフック１は、コンビニエンスストアやスーパーマーケットなど多種多様の小売業の店舗などで、菓子、日用品、文房具、医薬品などの多種多様の小物の商品が、袋３に入れられ吊下げられて、展示され販売される。
すなわち、袋３の上部中央に開けられた孔５に、水平に配置された棒状のバーフック１を通した状態で、複数の袋３が前後に並んで陳列して、展示される。
【００１２】
バーフック１は、例えばステンレス製で、水平に配置される棒状の本体７の先端が上方へ緩やかな角度で屈曲する形状を有する。この屈曲部９の働きにより、お客の腕などに触れた商品が先端から、容易に外れるのを防止する。後端には、下向きのコの字状部分１１が形成され、このコの字状部分１１が、商品棚の四角形断面のバー１３に上方から嵌合して、バーフック１が取り付けられる。なお、表面がメッキされた鉄製であってもかまわない。
【００１３】
本体７の前方の上面には、滑止１５が形成される。この滑止１５は、前記屈曲部９を除いて本体７の前半部分に、波型の凹凸として形成される。
バーフック１は全長が１５０mmで、直径が５mm、屈曲部９は長さが１５mm、水平線に対する角度が４５度である。また、波型の波の波長は１mmで、波の高さは１mmである。もっとも、バーフック１の寸法には色々のものがあり、波型の寸法も色々にすることができる。
【００１４】
「実施形態の効果」
この実施形態によれば、バーフック１の上面に形成された波型の滑止１５に、袋３の上部に開けられた孔５の縁が引っ掛かりやすい。よって、一度前進陳列された商品の袋３は、お客の手などに触れても後方へ押しやられることが少ない。したがって、袋３は前進陳列を保持しやすい。よって、お客に対する商品のアピールがよく、店員が袋３を前方へそろえる作業が少なくて済む。
【００１５】
また、滑止１５は屈曲部９を除いて本体７の前半部分にのみ形成されるので、仮に後半部分に後退陳列になった袋３は、滑止１５に引っ掛からないで、前方へそろえる作業が容易に行える。また、滑止１５を、波型の凹凸として機械的に形成することができ、形成のコストが抑えられる。
【００１６】
「他の実施形態」
以上の実施形態では、滑止１５は、屈曲部９を除いて本体７の前半部分にのみ形成されるものであったが、他の実施形態では、例えば、本体７のたとえば前方部分１／３に形成することもできる。
【００１７】
以上の実施形態では、滑止１５は、波型の凹凸として形成されるものであったが、他の実施形態では、形状ではなく、材質が滑止１５を有する塗料やテーピングを用いて良い。
以上の実施形態では、バーフック１は、ステンレス製としたが、他の実施形態では、表面がメッキされた鉄製、あるいはプラスチック製などであってもかまわない。
【図面の簡単な説明】
【００１８】
【図１】この発明の一実施形態を示す商品吊下展示用バーフックの斜視図である。
【図２】図１の商品吊下展示用バーフックの側面図である。
【図３】従来のバーフック１の側面図である。
【符号の説明】
【００１９】
１…バーフック、３…袋、５…孔、７…本体、９…屈曲部、１１…字状部分、１３…バー、１５…滑止。
【図１】
2006198227.tif 000003
【図２】
2006198227.tif 000004
【図３】
2006198227.tif 000005